(57)【要約】【課題】  光多分岐通信システムの大幅な変更を加えず、ＯＮＵのみの機能拡張により、加入者側ローカル端末からの障害要因情報を簡易かつ的確に取得することのできる通信障害検出システム及びその方法を提供することを目的とする。【解決手段】  通信事業者局舎１から加入者宅１５ａ１〜１５ａｎ内の各ＯＮＵ１２ａ１〜１２ａｎに光多分岐された各支線光線路１１ａ１〜１１ａｎの入出力信号をＯＮＵ入出力光監視部１０６で検出し、検出した前記入出力信号に基づき、分岐された各支線光線路１１ａ１〜１１ａｎの状態を判断し、ローカル端末１４ａ１からの要求に応じ判断情報をローカル端末１４ａ１へ出力するＣＰＵ機能部１０７を備える。【選択図】        図１
2009027518.tif 000002
【特許請求の範囲】
【請求項１】
親局装置から子局装置への複数の光線路を分岐する分岐部と、
この分岐部からの分岐された光線路の各入出力信号を検出する光監視部と、
この光監視部で検出した前記各入出力信号に基づき、前記分岐された光線路の前記親局装置との接続状態を判断し、外部端末からの要求に応じて前記判断結果を出力する制御部とを備えた通信障害検出システム。
【請求項２】
制御部は、光監視部で検出する信号に基づいてフレームフォーマットの種類を判別する機能を含むことを特徴とする請求項１に記載の通信障害検出システム。
【請求項３】
親局装置から子局装置へ分岐された複数の光線路の各入出力信号を検出するステップと、
前記検出した各入出力信号に基づき、前記分岐された光線路の前記親局装置との接続状態を判断するステップと、
外部端末からの要求に応じて前記判断結果を出力するステップを含む通信障害検出方法。
【発明の詳細な説明】
【技術分野】
【０００１】
本発明は、光ファイバを使用してサービスを実現するシステム、例えばＧＥ−ＰＯＮ（Ｇｉｇａｂｉｔ  Ｅｔｈｅｒｎｅｔ（登録商標）−Ｐａｓｓｉｖｅ  Ｏｐｔｉｃａｌ  Ｎｅｔｗｏｒｋ）システムやＢ−ＰＯＮ（Ｂｕｓｉｎｅｓｓ−ＰＯＮ）システム等のＦＴＴＨ（Ｆｉｂｅｒ  Ｔｏ  Ｔｈｅ  Ｈｏｍｅ）サービスを実現する光多分岐通信システムにおける通信障害発生時の通信障害検出システム及び通信障害検出方法に関するものである。
【背景技術】
【０００２】
図４は、ＦＴＴＨサービスを実現しているＧＥ−ＰＯＮシステムやＢ−ＰＯＮシステム等のような局内に設置された１つのＯＬＴ（Ｏｐｔｉｃａｌ  Ｌｉｎｅ  Ｔｅｒｍｉｎａｌ）を多数のユーザで共有する光多分岐通信システムの概要構成を示したものである。
【０００３】
図４において、通信事業者局舎１内に設置されたＯＬＴ３と加入者宅１５ａ１に設置されるＯＮＵ（Ｏｐｔｉｃａｌ  Ｎｅｔｗｏｒｋ  Ｕｎｉｔ）１２ａ１は、光カプラ１０を介して接続される。光カプラ１０は、幹線光線路９と支線光線路１１ａ１〜１１ａｎを１対ｎ接続し、１つのＯＬＴを多数のＯＮＵで共有することを可能とする。
【０００４】
この光多分岐通信システムは、図５のように光線路媒体である光ファイバや光通信機器で異常が発生し、ＯＬＴ３とＯＮＵ１２ａ１が通信不可状態に陥ると、通信事業者局舎１側からＯＴＤＲ（Ｏｐｔｉｃａｌ  Ｔｉｍｅ  Ｄｏｍａｉｎ  Ｒｅｆｌｅｃｔｏｍｅｔｅｒ）５を用い、ＯＴＤＲ５から監視光を出力し、各ＯＮＵ１２ａ１〜ＯＮＵ１２ａｎから戻った監視光を分析し、異常光線路の特定、異常箇所の検出を行うことができる（例えば、特許文献１参照）。
【０００５】
また、ＯＬＴ３の制御端末４において、異常を発生した光線路に接続されていたＯＮＵ１２ａ１の警報、状態情報を取得することで直前までの動作を確認することができる。
【０００６】
【特許文献１】特開２００５−１９２１３８号公報（００２０〜００２２段、図１）
【発明の開示】
【発明が解決しようとする課題】
【０００７】
しかしながら、従来の通信障害検出システムでは、通信事業者局舎１側からの解析は可能であるが、加入者宅１５ａ１側からは光線路の接続が切れたことのみが検出可能で、故障解析を実施するには情報が不足するという課題があった。また、ＯＮＵ１２ａ１の偶発故障や加入者の不注意によるＯＮＵ１２ａ１の故障で、光Ｉ／Ｆが片側だけ異常となった場合でも、通信事業者局舎１側からは解析できないという課題があった。
【０００８】
また、ＯＮＵ１２ａ１の新規設置時には、通信事業者局舎１側はＯＮＵ１２ａ１が接続された後でないと監視、解析できず、また加入者宅１５ａ１では、光ファイバから光が出力されていることを光Ｐｏｗｅｒメータにより確認できるが、光線路の接続先装置が目的とするシステムのものか判別が難しいという課題があった。
【０００９】
さらに、今後類似の光多分岐通信システムが開発された場合、局舎側装置、加入者側装置を交換することで光線路を再利用できるという利点が考えられるが、同時に目的のシステムに接続されているか判別することが難しくなるという課題があった。また、目的とするシステムに接続されているにも関わらず、新規設置するＯＮＵが運搬中の偶発故障によりＬＥＤが点灯しない場合など原因切り分けが難しいという課題があった。
【００１０】
本発明は、上記のような問題を解決するためになされたものであり、光多分岐通信システムの大幅な変更を加えず、ＯＮＵのみの機能拡張により、加入者側ローカル端末からの障害要因情報を簡易かつ的確に取得することのできる通信障害検出システム及びその方法を提供することを目的とする。
【課題を解決するための手段】
【００１１】
本発明に係る通信障害検出システムは、親局装置から子局装置への複数の光線路を分岐する分岐部と、分岐部からの分岐された光線路の各入出力信号を検出する光監視部と、光監視部で検出した各入出力信号に基づき、分岐された光線路の親局装置との接続状態を判断し、外部端末からの要求に応じて判断結果を出力する制御部とを備えたものである。
【００１２】
本発明に係る通信障害検出方法は、親局装置から子局装置へ分岐された複数の光線路の各入出力信号を検出するステップと、検出した各入出力信号に基づき、分岐された光線路の前記親局装置との接続状態を判断するステップと、外部端末からの要求に応じて判断結果を出力するステップを含むものである。
【発明の効果】
【００１３】
本発明によれば、制御部を介して光監視部によりローカル端末側からＯＮＵの状態を確認できるようにし、障害発生時ＯＮＵ側からも障害要因を入手することにより、情報量が増加し、障害要因分析調査を効率化できるという効果が得られる。特に新規ＯＮＵ設置時に問題発生した場合の解析が効率化でき、設置作業時間を短縮できるという効果が得られる。
【００１４】
また、ローカル端末から情報を取得することにより、必要とする情報の入手精度を向上でき、誤操作による不要な稼動を軽減できるという効果も得られる。さらに、今後類似の光多分岐システムが開発された場合においても、局舎側装置、加入者宅側装置を交換することで光線路を再利用でき、かつ誤作業を軽減できるという効果が得られる。
【発明を実施するための最良の形態】
【００１５】
以下、本発明に係る通信障害検出システムの各種実施の形態について、図面に基づいて説明する。
実施の形態１．
図１は、本発明に係る実施の形態１の通信障害検出システムを用いた光多分岐通信システムの構成を示すブロック図である。
【００１６】
図１において、光多分岐通信システムは、通信事業者局舎１に設置され、ＵＴＰ（Ｕｎｓｉｅｌｄｅｄ  Ｔｗｉｓｔ  Ｐａｉｒ  Ｃａｂｌｅ）ケーブル２を介してＩＰ網に接続されたＯＬＴ３に光線路監視機能部８を付随した幹線光線路９が接続され、この幹線光線路９は光カプラ１０によって各支線光線路１１ａ１〜１１ａｎに光多分岐される。
【００１７】
光多分岐された各支線光線路１１ａ１〜１１ａｎは、加入者宅１５ａ１〜１５ａｎ内の各ＯＮＵ１２ａ１〜１２ａｎに接続される。光線路監視機能部８は、通信事業者局舎１側から各光線路監視のための機能部で、ＯＴＤＲ５からの監視光を制御部６により出力制御し、ＦＳ（Ｆｉｂｅｒ  Ｓｅｌｅｃｔｏｒ）７経由で、幹線光線路９へ出射し、各光線路からの反射を測定し、各光線路の障害検出、解析を行う。
【００１８】
加入者宅１５ａ１内のＯＮＵ１２ａ１は、光コネクタ１０１、非対称分岐カプラ１０２、光入出力終端部１０３、主信号処理部１０４、ＬＡＮコネクタ１０５、光監視部としてのＯＮＵ入出力光監視部１０６、制御部としてのＣＰＵ機能部１０７を具備する。加入者は、ＯＮＵ１２ａ１のＬＡＮコネクタ１０５にＵＴＰケーブル１３ａ１経由でＰＣ等のローカル端末１４ａ１または家庭内ＬＡＮを接続することでＩＰ網との通信を実現する。
【００１９】
図２に、加入者宅１５ａ１内のＯＮＵ１２ａ１の詳細な機能構成のブロック図を示す。ＯＮＵ入出力光監視部１０６は、入出力光を入力/出力分岐するＷＤＭ（Ｗａｖｅｌｅｎｇｔｈ  Ｄｉｖｉｓｉｏｎ  Ｍｕｌｔｉｐｌｅｘｉｎｇ）カプラ１０８、出力光を監視するために電気信号に変換するＯ／Ｅ変換部Ａ１０９ａ、入力光を監視するためにＯ／Ｅ変換部Ｂ１０９ｂ、入力光／出力光を電気変換したアナログ信号をＣＰＵ機能部１０７で認識可能とするためのＡ／Ｄ変換部Ａ１１０ａ、Ａ／Ｄ変換部Ｂ１１０ｂを具備する。
【００２０】
ＣＰＵ機能部１０７は、主信号処理部１０４の制御及びＯＮＵ１２ａ１の警報処理、状態監視を行い、ＯＬＴ３へ通知する機能及びローカル端末１４ａ１からの要求（コマンド）に応じローカル端末１４ａ１へ出力する機能を有する。
【００２１】
図４のように光線路に異常が発生した場合、ＯＬＴ３とＯＮＵ１２ａ１は通信不可状態に陥る。この場合、ＯＬＴ３へ状態を通知できないことから、加入者または加入者宅１５ａ１を訪問した工事担当者は、ローカル端末によりＣＰＵ機能部１０７へアクセスすることによりＯＮＵ１２ａ１の状態を確認し、携帯電話等別の通信手段を用いて通信事業者へ連絡することで、通信事業者局舎１側から解析を実施している通信事業者と連携してより的確な障害解析を実施できる。
【００２２】
ローカル端末１４ａ１から取得可能とするＯＮＵ１２ａ１の状態情報としては、物理的な接続有無を判断するための光出力監視用Ａ／Ｄ変換部Ａ１１０ａ、光入力監視用Ａ／Ｄ変換部Ｂ１１０ｂからの光入出力情報、目的とするシステムに接続されているか確認するための主信号終端部１０４からの制御Ｆｒａｍｅの送受信情報、内部カウンタ情報とする。
【００２３】
以上のように、本実施の形態１では、ＣＰＵ機能部１０７を介してＯＮＵ入出力光監視部１０６によりローカル端末側からＯＮＵ１２ａ１の状態を確認できるようにしたので、障害発生時ＯＮＵ側からも障害要因を入手することができ、情報量が増加し、障害要因分析調査を効率化できるという効果が得られる。特に新規ＯＮＵ設置時に問題発生した場合の解析が効率化でき、設置作業時間を短縮できるという効果が得られる。
【００２４】
また、必要とする情報の入手精度を向上でき、誤操作による不要な稼動を軽減できるという効果も得られる。さらに、今後類似の光多分岐システムが開発された場合においても、局舎側装置、加入者宅側装置を交換することで光線路を再利用でき、かつ誤作業を軽減できるという効果が得られる。
【００２５】
実施の形態２．
図３は、本発明に係る実施の形態２の通信障害検出システムにおけるＯＮＵ２００の構成を示すブロック図である。ＯＮＵ２００は、上記実施の形態１の通信障害検出システムにおけるＯＮＵ１２ａ１をさらに光線路からの受信信号を特定するためだけに特化させた特定用途のＯＮＵである。
【００２６】
屋外から入力される支線光線路１１ａ１にＯＮＵ１２ａ１を接続し、ＯＮＵ２００内でＯＮＵ内光カプラ２０１によりＯＮＵ内光線路２０２ａとＯＮＵ内光線路２０２ｂに分岐する。
【００２７】
ＯＮＵ内光線路２０２ａとＯＮＵ内光線路２０２ｂは、各々光監視部としての高速対応Ｏ／Ｅ変換器Ａ２０３と低速対応Ｏ／Ｅ変換器Ｂ２０４とに接続され、各々制御部としての受信信号判別機能部２０５へ入力される。
【００２８】
受信信号判別機能部２０５は、Ｏ／Ｅ変換器Ａ２０３とＯ／Ｅ変換器Ｂ２０４からの受信信号に対して、サンプリングレートを変化させながら、ＧＥ−ＰＯＮシステム、Ｂ−ＰＯＮシステム等各システム特有フレームフォーマットを検索する。各システム特有のフレームフォーマットへの一致を検出するとＬＥＤ部２０７の当該システムに対応したＬＥＤを点灯させる。
【００２９】
また、受信信号判別機能部２０５は同時に一致情報を保持する機能を具備し、ＯＮＵ２００にシリアルコネクタ２０６及びシリアルケーブル２０８経由で接続されるローカル端末１４ａ１からの情報取得要求に応じて、受信信号判別機能部２０５で取得した接続システム及び一致したフレームフォーマット、一致した回数、周期に関する情報をローカル端末２０５へ出力する機能を具備する。
【００３０】
以上のように、本実施の形態２では、受信信号判別機能部２０５でフレームフォーマットまで検出するようにしたので、どのようなシステムに繋がっているかまで認識でき、障害要因分析調査を更に効率化できるという効果が得られる。
【図面の簡単な説明】
【００３１】
【図１】本発明に係る通信障害検出システムを備えた光多分岐通信システムの実施の形態１の概要構成を示すブロック図である。
【図２】本発明に係る通信障害検出システムの実施の形態１の構成を示すブロック図である。
【図３】本発明に係る通信障害検出システムの実施の形態２の構成を示すブロック図である。
【図４】従来の通信障害検出システムを備えた光多分岐通信システムの概要構成を示すブロック図である。
【図５】従来の通信障害検出システムを備えた光多分岐通信システムの異常発生時の動作を示す図である。
【符号の説明】
【００３２】
１  通信事業者局舎
９  幹線光線路
１０  光カプラ
１１ａ１〜１１ａｎ  支線光線路
１２ａ１〜１２ａｎ  ＯＮＵ
１４ａ１  ローカル端末
１０６  ＯＮＵ入出力光監視部
１０７  ＣＰＵ機能部
２００  ＯＮＵ
２０５  受信信号判別機能部
【図１】
2009027518.tif 000003
【図２】
2009027518.tif 000004
【図３】
2009027518.tif 000005
【図４】
2009027518.tif 000006
【図５】
2009027518.tif 000007